(57)【要約】  トイレ装置は、一対の側壁（１４、１６）が枢転可能に連結された座部（２）を含む。側壁は、座部（２）に対して三つの構成に対応する。第１の折畳み構成において、側壁は互いに向き合って折り畳まれ、トイレ装置のコンパクト収納を実現する。第２の構成において、側壁は、座部に対して直角に下方へ曲げられ、適切なライナー（裏打ち）を装着すれば、可搬式便器として使用できる。第３の構成において、側壁は、互いから略反対方向へ広げられ、トイレ装置は従来の便座に載置されて、座部をユーザに合わせて調整できるようになる。ロック及び位置決め手段は、三つの構成に応じて装置をロックし及び／又は位置決めするために提供されている。
2010504788.tif 000002
【特許請求の範囲】
【請求項１】
座部と、
一対の側壁であって、前記側壁が互いに向き合って内方へ延びる第１の折畳み構成から、前記側壁が前記座部に対して略直角に延びる第２の組立て構成を経て、前記側壁が互いから略反対方向に延びる第３の便座対応構成まで、移動することができるように、前記座部の対向する側部に対して枢軸的に固着されている前記一対の側壁と、
前記第２の構成において、前記座部に対して前記側壁をロックするためのロック手段と、
前記側壁が第３の構成を超えて回転することを防止するための停止手段と、
を含むトイレ装置。
【請求項２】
前記第３の構成において、前記側壁をロックするための手段を含む、請求項２に記載の装置。
【請求項３】
前記第１及び前記第２の構成のそれぞれにおいて、前記側壁を位置決めするための戻り止め手段を含む、請求項１又は２に記載の装置。
【請求項４】
前記座部が、下垂する内部及び外部スカートを有する環状本体を含み、
前記側壁の各々が、ロッドによって支持されており、前記側壁毎に、前記内部スカートと前記外部スカートを跨いで延びて前記ロッドを回転可能に支持する、一対の離間支持フランジを含む、請求項１〜３のいずれか一項に記載の装置。
【請求項５】
前記支持フランジの各々が、前記座部に対して略直角に形成されて前記ロッドを収容するために寸法取りされた第１の離間拡大領域及び第２の離間拡大領域を有する、形状加工されたスロットを含み、前記フランジの反発弾性によって、前記ロッドが、通常は前記ロッドの直径より細い間隙を介して一つの拡大領域から他の拡大領域に移動可能とされている、請求項４に記載の装置。
【請求項６】
前記内部スカートと前記外部スカートを跨いで延びる複数のロックフランジを含み、前記ロックフランジの各々が、前記側壁が前記スロットの前記第１の拡大領域から前記第２の拡大領域への前記側壁の前記ロッドの移動に応答して前記第２の構成にある時に前記側壁の一部を受け取るためのスロットを有し、前記側壁が前記ロッドの軸の周りを回転しないように前記側壁をロックする、請求項５に記載の装置。
【請求項７】
前記側壁を前記第１の構成から前記第２の構成に移動させるにあたって、前記ロックフランジが前記側壁に対して締まり嵌めを規定し、これにより、前記支持フランジに弾力が生じて、第１の位置及び第２の位置において前記ロックフランジが前記締まり嵌めされた状態から解除され、前記第１の構成及び前記第２の構成に対して戻り止め位置を画定することができる、請求項６に記載の装置。
【請求項８】
各前記側壁が、該側壁が前記第３の構成にある時に前記外部スカートの外面に当接する外部表面を有することによって、前記側壁が前記第３の構成を超えて移動することが阻止される、請求項４〜７のいずれか一項に記載の装置。
【請求項９】
前記側壁が前記支持フランジの反発弾性に逆らって前記第３の構成に近づこうとする時、各前記側壁の前記外部表面が前記スカートから突出する外方突出リムに係合する複数の離間リブを担持し、前記リブが前記リムから離れると、前記支持フランジの反発弾性によって前記外面と前記リブの間隙内に前記リムがロックされる、請求項８に記載の装置。
【請求項１０】
前記側壁の便座係合面が滑り止め材料によって裏打ちされている、請求項１〜９のいずれか一項に記載の装置。
【請求項１１】
前記側壁の前記接地係合面が滑り止め材料によって裏打ちされている、請求項１〜１０のいずれか一項に記載の装置。
【請求項１２】
前記滑り止め材料がシリコーンゴム又はゴムである、請求項１０又は１１に記載の装置。
【請求項１３】
添付図面を参照することによって実質的に記載されている、請求項１〜１２のいずれか一項に記載の装置。
【発明の詳細な説明】
【技術分野】
【０００１】
本発明はトイレ装置に係る。
【０００２】
欧州特許第０，４２７，７３１号は、小児又は幼児用可搬式尿瓶又は便器（主に、幼児用便器）を開示している。幼児用便器は、小児や幼児の臀部に合うように寸法取りされた座部と、座部を地面に置いた時に支持するための一対の弧状脚部と、を含む。また、コンパクトに収納するために脚部を内側に折畳むことができる。
【背景技術】
【０００３】
一対のハンドル付きのビニール袋の形態の使い捨て容器は、座部を覆い掛けられ、両脚部にハンドルを引っ掛けることにより、座部の位置より下に汚物受け（ｒｅｃｅｐｔａｃｌｅ）を作るように形付けられ、汚物受けを適所に保持することができる。
【０００４】
この可搬式トイレは、従来の便壷と組み合わせて使用するには不向きであった。
【先行技術文献】
【特許文献】
【０００５】
【特許文献１】欧州特許第０，４２７，７３１号
【発明の概要】
【発明が解決しようとする課題】
【０００６】
本発明の目的は、改良されたトイレ装置を提供することである。
【課題を解決するための手段】
【０００７】
本発明によれば、座部と、一対の側壁であって、側壁が互いに向き合って内方へ延びる第１の折畳み構成から、側壁が座部に対して略直角に延びる第２の組立て構成を経て、側壁が互いから略反対方向に延びる第３の便座対応構成まで、移動することができるように、座部の対向する側部に対して枢軸的に固着されている一対の側壁と、第２の構成において、座部に対して側壁をロックするためのロック手段と、側壁が第３の構成を超えて回転することを防止するための停止手段と、を含むトイレ装置が提供されている。
【０００８】
本発明を実施するトイレ装置は、添付図面を参照することによって、以下により詳細に説明される。
【図面の簡単な説明】
【０００９】
【図１】自立型便器構成におけるトイレ装置を示す斜視図である。
【図２】折畳み構成におけるトイレ装置を示す斜視図である。
【図３】便座対応構成におけるトイレ装置を示す斜視図である。
【図４】図３のトイレ装置の底面斜視図である。
【図５】図２のトイレ装置の底面斜視図である。
【図６】図５のトイレ装置の詳細部分拡大斜視図である。
【図７】自立型便器構成におけるトイレ装置の詳細部分拡大底面斜視図である。
【図８】自立型構成におけるトイレ装置の詳細部分拡大正面図である。
【図９】折畳み構成におけるトイレ装置の詳細部分正面図である。
【図１０】トイレ装置のヒンジ機構の詳細部分を示す図である。
【図１１】トイレ装置のヒンジ機構の詳細部分及び脚部の一方を示す正面図である。
【図１２】トイレ装置のヒンジ機構の詳細部分及び脚部の一方を示す正面図である。
【発明を実施するための形態】
【００１０】
図１〜図５に示されるように、本装置は、中央の開口４を囲む、形状加工された略環状の本体又は座部２を含んでいる。環状本体は、下方に垂れている内部スカート６及び外部スカート８を有している。外部スカート８は、内部スカート６よりも大きく垂れている。環状本体２の形状加工された座面は、例えば、従来の幼児用便器において、前部及び後部を画定するにするための、直径方向に対向する端部において盛り上った隆起部１０及び１２を有している。
【００１１】
座部２は、一対の同形の側壁１４及び１６によって対向する側部において支持されている。
【００１２】
側壁１４及び１６は、内部スカート６と外部スカート８の間で、環状本体２に連結され、三つの定義された構成のそれぞれを実行する。三つの構成は、環状本体２が側壁１４及び１６が載せられている床から距離を置いて支持される略組立て構成（図１参照）、側壁１４及び１６が、外部スカート８によって境界付けられた領域内へ折畳まれ、開口４を横切って延びる折畳み構成、及び側壁１４及び１６が外部スカート８から外側へ広げられ、座部２と略同一平面上に配置される便座対応構成を含む。
【００１３】
座部は、略組立て構成にある時、ハンドルの付いたビニール袋の形態の容器と共に、幼児用便器として使用されるように配置される。用を足す際には、開口４内にビニール袋（図示なし）を設置し、ハンドルを座部の上面に掛かるように持ち出し、ハンドルを側壁１４および１６のそれぞれの遠位端において一対の離間凹部１４ａ、１４ｂおよび一対の離間凹部１６ａ、１６ｂにかみ合わせる。
【００１４】
側壁１４及び１６の各々は、対向端部から突出している一体型ロッド２０を有し、内部スカート６及び外部スカート８の間に延出している一対の離間支持フランジ２２及び２４によって支持されている。以下に述べる説明は側壁１４のみに向けられているが、この説明は側壁１６にも同じくあてはまる。図１０により明確に示されているように、支持フランジ２２には、ロッド２０によって係合される形状加工されたスロットが設けられている。スロットは、各々がロッド２０の直径よりやや小さい間隙を画定する、二つの離間されたネック部２８及び３０と、ロッド２０を収容するために寸法決定された二つの離間された円形領域と、を含む。さらに、スカート６はスカート６よりも広がりが小さいので、スロットは、フランジ内においてフィンガー３２を画定しており、フィンガー３２はフランジの他の部分に比べて撓み易い。一つの円形領域から他の円形領域までスロットに沿ってロッド２０を圧入することによって、ロッドは、二つの安定した位置、即ち、（図１０に示されているように）上部位置と下部位置の間を往復することができる。ロッドの上部安定位置において、側壁１４は折畳み構成から便座対応構成へ移動することができる。
【００１５】
二つの離間された支持フランジの間には一連のロックフランジ３４が配置されている。各ロックフランジは、内部スカート６と外部スカート８の間に延びている（図８及び図９参照）。各ロックフランジ３４はスロット３８を含み、側壁１４が組立て構成にある時、スロット３８は、側壁１４の尾部１４ｃに位置合わせされる。
【００１６】
これらのロックフランジ３４は、側壁が組立て構成にある時を除いて、ロッド２０がスロット２６を移動することを防止する。しかしながら、側壁が組立て構成にあるときは、圧力が側壁１４に印加され、これによって、ロッドは、フィンガー３２の反発弾性に逆らって、上部安定位置から下部安定位置まで移動することができる。この時、尾部１４ｃがフランジ３４内のスロット３８に係合され、これによって、組立て位置にある側壁１４がロックされ、側壁１４がロッド２０の軸の周りを回転することが防止される。
【００１７】
座部から側壁１４を反対方向へ引っ張ることによって、ロッド２０は、フィンガー３２の反発弾性に逆らって、下部安定位置から上部安定位置へ移動することができる。
【００１８】
フランジ３４の作用は、組立て構成又は折畳み構成のいずれにおいても側壁１４を位置決めするための戻り止め機構を兼ねている。図９に示されるように、スロット３８の対向側面におけるフランジ３４の外形は、側壁１４の尾部１４ｃの遠位端の軌跡と交差している。側壁が折畳み構成（図９参照）又は組立て構成（図８参照）のいずれかにある時、全く干渉されない二つの場所が生じる。折畳み構成から組立て構成へ移動する時に、尾部１４ｃとフランジ３４の係合面は、フィンガー１０の反発弾性に逆らってロッドを移動させることができる。
【００１９】
便座対応構成にある時の側壁１４を制限するための戻り止め構成は、側壁１４に一連の離間リブ４２（図５参照）を具備しており、離間リブ４２は、外部スカート８の凹部から外側へ突出しているフランジ４０と係合している。側壁１４が組立て位置から便座対応構成に移行する時、リブ４２はフランジ４０に係合し、フランジは、ロッドが上部安定位置に配置された時にロッドの軸より下に位置するので、ロッド２０は、フランジ３２の反発弾性に逆らってスロット２６を上方移動することができる。
【００２０】
リブ４２の端部が、フランジ４０（図１２参照）を通過し、リブ４２の端部と側壁表面の間に形成されたスロット内へ降りてくるまで、リブ４２のフランジと連続的に係合される。この時点で、フランジ３２が反発弾性を回復し、側壁１４が便座対応構成において、事実上、位置決めされる。
【００２１】
戻り止め機構を補強するために停止機構が設けられている。停止機構は、隣接フランジ２２から突出している停止部４６と係合するロッド２０の端部から径方向に延出する弧状突出部４４の形態をとっている。同様の停止機構がロッド２０の対向端部にも提供される。
【００２２】
側部１４及び側部１６は、それぞれ、略半円形の外面５２を取り囲む略半円形のスカート５０を含んでいる。交差フランジ５４の格子は、スカート５０を横切って延びることによって、側部に補強力を提供し（図４参照）、側部を剛体化する。
【００２３】
フランジ５０とスカート５０の自由端は、便座対応構成において便座に載置された時に装置がずれないようにするために、滑り止め用ゴム又はシリコーンゴムの層によって裏打ちされてもよい。側壁の接地係合面も同様に裏打ちされてもよい。裏打ちは、好ましくはポリプロピレン材料で作られる装置に接着、成形、又は固着されてもよい。
【００２４】
本発明のトイレ装置において、フィンガー３２の反発弾性が重要な役割を果たす。フィンガー３２の大きさとしては、厚さが１〜３ｍｍ、幅が４〜８ｍｍであることが好ましい。
【００２５】
装置がポリプロピレンなどのプラスチック材料から作られる場合、便座対応構成にある装置において、座部にいくらかの撓みが発生し得ることが理解されよう。これによって、交差フランジと便座の間でより一層均等な接触が確保され、便座が装置をしっかりと捉えることが保証される。
【００２６】
一般のトイレとは異なる場所で幼児のトイレトレーニングのために本発明のトイレ装置を用いることによって、次に、従来の便器の対応便器として、本発明のトイレ装置を用いることによって、幼児にとっては、肉体的にも気分的にも大いに安らぎを得ながらおむつからトイレへの移行を行うことができるというメリットがある。
【図１】
2010504788.tif 000003
【図２】
2010504788.tif 000004
【図３】
2010504788.tif 000005
【図４】
2010504788.tif 000006
【図５】
2010504788.tif 000007
【図６】
2010504788.tif 000008
【図７】
2010504788.tif 000009
【図８】
2010504788.tif 000010
【図９】
2010504788.tif 000011
【図１０】
2010504788.tif 000012
【図１１】
2010504788.tif 000013
【図１２】
2010504788.tif 000014
【国際調査報告】
2010504788.tif 000015
2010504788.tif 000016
2010504788.tif 000017
2010504788.tif 000018